(57)【要約】      （修正有）【課題】多功能コネクタを提供する。【解決手段】コネクタ接座は、ポータブルオーディオビデオ再生装置の本体上に設置され、絶縁ハウジングと複数の端子を備える。絶縁ハウジングの側縁は、少なくとも、定位係合孔を有する。コネクタプラグは、コネクタ接座と相接し、ハウジング、ヘッド、少なくとも一つの閉鎖素子、及び、推圧素子、を有する。ハウジングは、前端の開口槽、及び、少なくとも一つの側辺にチャンバを有し、ハウジング内側は嵌槽を有する。ヘッドは、ハウジング前端の開口槽空間に固設され、ヘッドはコネクタ接座に対応する複数の端子を有し、閉鎖素子は、ハウジングの嵌槽に嵌設定位され、閉鎖素子は、前端の導接部を有し、導接部は、開口槽から伸出すると共に、ヘッドの両側に位置し、前端はフックを設け、フックはコネクタ接座の定位係合孔に係合し、推圧素子は、ハウジングのチャンバに設置され、閉鎖素子と連動する。【選択図】図３
0003108016.tif 000002
【実用新案登録請求の範囲】
【請求項１】
多功能コネクタであって、コネクタ接座とコネクタプラグとからなり、
前記コネクタ接座は、ポータブルオーディオビデオ再生装置の本体上に設置され、絶縁ハウジングと複数の端子を備え、前記絶縁ハウジングの側辺は少なくとも定位係合孔を有し、
前記コネクタプラグは、前記コネクタ接座と相接し、ハウジング、ヘッド、少なくとも一つの閉鎖素子、及び、推圧素子、を有し、前記ハウジングは、前端の開口槽、及び、少なくとも一つの側辺にチャンバを有し、前記ハウジング内側は嵌槽を有し、前記ヘッドは、前記ハウジング前端の開口槽空間に固設され、前記ヘッドは前記コネクタ接座に対応する複数の端子を有し、前記閉鎖素子は、前記ハウジングの嵌槽に嵌設定位され、前記閉鎖素子は、前端の導接部を有し、前記導接部は、前記開口槽から伸出すると共に、前記ヘッドの両側に位置し、前端はフックを設け、前記フックは前記コネクタ接座の定位係合孔に係合し、前記推圧素子は、前記ハウジングのチャンバに設置され前記閉鎖素子と連動することを特徴とする多功能コネクタ。
【請求項２】
前記コネクタヘッドは伝送線を連結し、前記伝送線により外接設備信号と連接することを特徴とする請求項１に記載の多功能コネクタ。
【請求項３】
前記伝送線は、両端に前記連接プラグを固設して一体化することができることを特徴とする請求項２に記載の多功能コネクタ。
【請求項４】
前記コネクタプラグと前記コネクタ接座の前記端子の定義は、
端子１〜５が＋１２ボルト電源で、
端子６〜８がビデオ周波数入力で、
端子９が左音声で、
端子１０〜１１が右音声で、
端子１２〜１３がリモコン信号伝送で、
端子１４〜１７が接地信号で、
端子１８が制御信号で、
あることを特徴とする請求項１に記載の多功能コネクタ。
【請求項５】
前記コネクタプラグの後端は、線槽を有することを特徴とする請求項１に記載の多功能コネクタ。
【請求項６】
前記コネクタプラグ内に、更に、前記複数の端子と電気的に接続する回路板を有することを特徴とする請求項１に記載の多功能コネクタ。
【請求項７】
前記閉鎖素子は桿状で、更に、電源接部、定位部、を備え、前記電源接部は、伝送線に電気的に接続され、且つ、前記伝送線は、前記線槽から、前記ケース外に引き出されることを特徴とする請求項５に記載の多功能コネクタ。
【請求項８】
前記推圧素子は定位槽道を有し、前記定位部は、凸刺を有し、前記凸刺は、前記定位槽道を刺破して、前記閉鎖素子を連結することを特徴とする請求項７に記載の多功能コネクタ。
【考案の詳細な説明】
【技術分野】
【０００１】
本考案は、多功能コネクタに関するものであって、特に、ポータブルのオーディオビデオ再生装置に結合使用し、操作が簡単で、伝送一体化した多功能コネクタに関するものである。
【背景技術】
【０００２】
現在使用されているオーディオビデオ再生装置、例えば、ポータブルDVDプレーヤー等は、再生操作する再生装置と、オーディオビデオを表示する表示装置と、からなり、オーディオビデオ再生装置は、CD、VCD、DVD等のディスクを再生することができる以外に、外来のオーディオビデオ信号、例えば、テレビ、或いは、ゲーム機等の外接設備により入力されるオーディオビデオ信号を受信、表示することもできる。
【０００３】
公知のオーディオビデオ再生装置は、その他の設備を外接する時、オーディオビデオ入力端（Video）、左入力端（Audio−L）、右入力端（Audio−R）、赤外線リモコン信号接端（IR）、接地信号接端（Gnd）、制御接端（Control）等、信号接端を一つずつ接続しなければならず、統一されたオーディオビデオ信号接端がないため、オーディオビデオ再生装置上に、それぞれと外接装置が対応する信号接端を有していなければならない。各信号接端の設置は、オーディオビデオ装置のかなりの空間を占有するため、製品の軽薄短小化の設計にとって、非常に不利で、更に、ポータブルオーディオビデオ再生装置の発展にも不利である。
【０００４】
更に、連接する線路が多く、その信号接線の連接はミスしやすい上、ポータブルオーディオビデオ再生装置上で線が混乱し、美観を損ね、また、使用上、携帯上不便である。
【０００５】
よって、オーディオビデオ再生装置信号の接線使用上、いかにして、簡単、且つ、ミス接続を防止するか、が課題である。
【考案の開示】
【考案が解決しようとする課題】
【０００６】
本考案は、多功能コネクタを提供し、オーディオビデオ装置の信号連接に、一体化功能を備えさせ、信号連接操作上、更に、便宜性と安全性を備えさせることを目的とする。
【０００７】
本考案は、多功能コネクタを提供し、オーディオビデオ装置の信号連接端に、簡潔化の作用を備えさせ、同一信号接端により、各種外接設備連接の需要を満たし、線路を集中化させて、線路を簡潔にすることをもう一つの目的とする。
【課題を解決するための手段】
【０００８】
上述の目的を達成するため、本考案の多功能コネクタは、コネクタ接座と、コネクタプラグと、からなる。コネクタ接座は、ポータブルオーディオビデオ再生装置の本体上に設置され、絶縁ハウジングと複数の端子を備える。絶縁ハウジングの側縁は、少なくとも、定位係合孔を有する。コネクタプラグは、コネクタ接座と相接し、ハウジング、ヘッド、少なくとも一つの閉鎖素子、及び、推圧素子、を有する。ハウジングは、前端の開口槽、及び、少なくとも一つの側辺にチャンバを有し、ハウジング内側は嵌槽を有する。ヘッドは、ハウジング前端の開口槽空間に固設され、ヘッドはコネクタ接座に対応する複数の端子を有し、閉鎖素子は、ハウジングの嵌槽に嵌設定位され、閉鎖素子は、前端の導接部を有し、導接部は、開口槽から伸出すると共に、ヘッドの両側に位置し、前端はフックを設け、フックはコネクタ接座の定位係合孔に係合し、推圧素子は、ハウジングのチャンバに設置され、閉鎖素子と連動する。
【考案の効果】
【０００９】
本考案により、コネクタ信号伝送の一体化整合により、オーディオビデオ装置上の信号端口の設置を完結にし、信号伝送の連結操作が容易で、且つ、線路対接の複雑性、及び、連結ミスを回避し、多功能実用性を向上させることができる。
【考案を実施するための最良の形態】
【００１０】
図１は、本考案の多功能コネクタの応用図である。ポータブルオーディオビデオ再生装置１は、本体１１からなり、本体１１の端壁１２は、コネクタ接座２０を設けている。端子１３は、この本体１１内の回路板１４（プリント回路板）と電気的に接続されている。コネクタプラグ２１は、伝送線３と連結され、伝送線３により、外接設備４信号と連接し、外接設備４は、テレビ、或いは、ゲーム機等で、伝送線３、コネクタプラグ２１、及び、コネクタ接座２０により、外接設備４のビデオオーディオ信号を、ポータブルオーディオビデオ再生装置１に伝送し、再生する。
【００１１】
伝送線３は、両端がコネクタプラグ２１を固設して一体化し、相対するポータブルオーディオビデオ再生装置１、及び、外接設備４端は、対応するコネクタ接座２０を設けてもよい。
【００１２】
図２は、本考案のコネクタ接座２０構造を示す図で、コネクタ接座２０は、絶縁ハウジング２０１、及び、前記絶縁ハウジング２０１内に設けられた複数の端子１３、からなり、コネクタ接座２０の前縁は、スロット端２０２を設け、スロット端２０２両側のハウジング上に、定位係合孔２０３を設け、端子１３の数は１８本である。各端子の定義は以下のようである。
0003108016.tif 000003
【００１３】
図３、及び、図４は、本考案のコネクタプラグ２１の構造を示す図である。コネクタプラグ２１は、ケース２１１、２１１A、ヘッド２１２、二つの閉鎖素子２１３、推圧素子２１４、及び、回路板２１５、からなり、ケース２１１、２１１Aは鎖結して、コネクタプラグ２１の本体を構成し、ケース２１１、２１１Aは、前板２２１、後板２２２、二つの側板２２３からなり、前板２２１は開口槽２２４を有し、後板２２２は線槽２２５を有し、側板２２３はチャンバ２２６を有する。更に、ケース２１１内側に内環壁２２７を設け、内環壁２２７と側板２２３間に、嵌槽２２８を形成している。ヘッド２１２は、ケース２１１（２１１A）前端の開口槽２２４空間に固設され、ヘッド２１２上に、複数の端子２３１（例えば、１８本）を設け、端子２３１末端のピン２３２は、表面実装技術SMTにより、回路板２１５上に固設され、各端子の定義は以下のようである。
0003108016.tif 000004
【００１４】
閉鎖素子２１３は桿状で、ケース２１１（２１１A）の嵌槽２２８に嵌設され、閉鎖素子２１３は、電源接部２３３、定位部２３４、及び、導接部２３５からなり、電源接部２３３は、回路板２１５、及び、伝送線３（図１で示される）に電気的に接続され、且つ、伝送線３は、後板２２２の線槽２２５から、ケース２１１（２１１A）外に引き出され、定位部２３４は凸刺２３６を有し、導接部２３５は開口槽２２４から伸出し、ヘッド２１２の両側に位置する。前端は、曲状のフック２３７を設け、コネクタプラグ２１とコネクタ接座２０が対接する時、フック２３７は、コネクタ接座２の定位係合孔２０３に係合し、対接の安定性を増加させる。推圧素子２１４は、ケース２１１（２１１A）のチャンバ２２６に設置され、ケース２１１（２１１A）外に露出し、内側は、定位槽道２３８を有する。定位槽道２３８は、閉鎖素子２１３の定位部２３４を嵌設すると共に、凸刺２３６が定位槽道２３８を刺破して定位する。
【００１５】
コネクタプラグ２１とコネクタ接座２０が対接する時、外接設備４の信号は、伝送線３、コネクタプラグ２１、コネクタ接座２０を経由し、ポータブルオーディオビデオ再生装置１に入力される。コネクタプラグ２１とコネクタ接座２０が対接を解除したい場合、コネクタプラグ２１の推圧素子２１４を押し、閉鎖素子２１３の導接部２３５を連動し、前端のフック２３７は、コネクタ接座２０の定位係合孔２０３を脱離し、コネクタプラグ２１を取り外せばいいので、非常に便利である。
【００１６】
本考案は、コネクタ信号伝送の一体化整合により、オーディオビデオ装置上の信号端口の設置を完結にし、信号伝送の連結操作が容易で、且つ、線路対接の複雑性、及び、連結ミスを回避し、多功能実用性を向上させる。
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１８】
【図１】本考案の応用状態を示した図である。
【図２】本考案のコネクタ接座の立体図である。
【図３】本考案のコネクタプラグの立体図である。
【図４】本考案のコネクタプラグの分解図である。
【符号の説明】
【００１９】
１…ポータブルオーディオビデオ装置
１１…本体
１２…端壁
２０…コネクタ接座
１３…端子
１４…回路板
２１…コネクタプラグ
３…伝送線
４…外接設備
２０１…絶縁ハウジング
２０２…スロット端
２０３…定位係合孔
２１１、２１１A…ケース
２１２…ヘッド
２１３…閉鎖素子
２１４…推圧素子
２１５…回路
２２１…前板
２２２…後板
２２３…側板
２２４…開口槽
２２５…線槽
２２６…チャンバ
２２７…内環壁
２２８…嵌槽
２３１…端子
２３２…ピン
２３３…電源接部
２３４…定位部
２３５…導接部
２３６…凸刺
２３７…フック
２３８…定位槽道
【図１】
0003108016.tif 000005
【図２】
0003108016.tif 000006
【図３】
0003108016.tif 000007
【図４】
0003108016.tif 000008